(57)【要約】【課題】従来の安全キャップは、何れも夫々のパーツの形状や構造が複雑であり、昨今販売促進用等に用いるために要求の多い、より廉価に、よりシンプルにはできないものであった。【解決手段】本考案の安全キャップは、筆記具の先端辺を挿通させる天板部を有したキャップ本体と、キャップ本体に装着する固定リングと該固定リングから延設させたクリップ部とから成るクリップ本体とを備え、固定リングの内周及び／又はキャップ本体の外周に突起部を形成したものでり、更に、筆記具の先端辺を挿通させる天板部を有したキャップ本体と、キャップ本体に装着する固定リングと該固定リングから延設させたクリップ部とから成るクリップ本体とを備え、固定リングの内周及び／又はキャップ本体の外周に凹溝部を形成したものである。【選択図】　　図２
0003097373.tif 000002
【実用新案登録請求の範囲】
【請求項１】
筆記具の安全キャップであって、前記筆記具の先端辺を挿通させる天板部を有した筒状のキャップ本体と、該キャップ本体の外周に装着するリング状の固定リングと該固定リングから延設させたクリップ部とから成るクリップ本体とを備え、前記固定リングの内周及び／又はキャップ本体の外周に複数の突起部を形成したこと特徴とする安全キャップ。
【請求項２】
筆記具の安全キャップであって、前記筆記具の先端辺を挿通させる天板部を有した筒状のキャップ本体と、該キャップ本体の外周に装着するリング状の固定リングと該固定リングから延設させたクリップ部とから成るクリップ本体とを備え、前記固定リングの内周及び／又はキャップ本体の外周に複数の凹溝部を形成したこと特徴とする安全キャップ。
【考案の詳細な説明】
【０００１】
【産業上の利用分野】
本考案は、筆記具の安全キャップに関するものであり、更に詳細には、サインペン、マーカー、ボールペン等のキャップを必要とする筆記具のキャップにおいて、幼児等の誤飲による事故の際に通気孔を確保するための安全キャップに関するものである。
【０００２】
【従来技術】
従来から、この種の通気孔を備えたキャップは多数が開発され市販されており、筆記具の芯を覆う中筒と筆記具の先端辺を覆う外筒とを二重筒に形成して、その中筒と外筒との接続部位に貫通孔を穿設していたが、ポケット等に収納させるためにクリップが必要な場合は、更に、外筒の外方に突出するようにクリップを一体的に設けたものであった。
【０００３】
この場合、構造が複雑と成るため筆記具の先端辺を覆うキャップ部とポケット等の上辺にクリップするクリップ部を別体で形成して後に組み立てる安全キャップが開示されており、例えば、別体のクリップの頂部に連通孔を穿設すると共に、このクリップ内壁面において連通孔よりクリップの根元部に至るまでの凹溝を凹設したもの（特許文献１参照）や、内キャップと外キャップ並びにクリップ体より構成され、クリップ体支持部に外側に通じる空気導入孔を設けたもの（特許文献２参照）や、キャップ１の側壁にクリップ２の取付孔４を設け、前記取付孔４にクリップ２の基部２１を挿着し、前記取付孔４内の前記クリップ２の基部２１を挟む前後位置に二つの通気孔５．６を形成し、前記通気孔５．６が互いにキャップ１内において連通させているもの（特許文献３参照）等がある。
【０００４】
【特許文献１】
特開平９ー２９５４９３号公報
【特許文献２】
特開平９ー１６９１９６号公報
【特許文献３】
実開平７ー２７８８９号公報
【０００５】
【解決しようとする課題】
然し乍ら、何れも夫々のパーツの形状や構造が複雑であり、昨今販売促進用等に用いるために要求の多い、より廉価に、よりシンプルにはできないものであった。
【０００６】
【課題を解決するための手段】
本考案は、前述の課題に鑑み、鋭意研鑽の結果、請求項１に記載の安全キャップは、筆記具の先端辺を挿通させる天板部を有したキャップ本体と、キャップ本体に装着する固定リングと該固定リングから延設させたクリップ部とから成るクリップ本体とを備え、固定リングの内周及び／又はキャップ本体の外周に突起部を形成したものである。
【０００７】
更に、請求項２に記載の安全キャップは、筆記具の先端辺を挿通させる天板部を有したキャップ本体と、キャップ本体に装着する固定リングと該固定リングから延設させたクリップ部とから成るクリップ本体とを備え、固定リングの内周及び／又はキャップ本体の外周に凹溝部を形成したものである。
【０００８】
【考案の作用】
本考案の安全キャップは、天板部を有した筒状のキャップ本体と、固定リングとクリップ部から成るクリップ本体とから成り、その固定部位の固定リングの内周及び／又はキャップ本体の外周に突起部、又は、凹溝部を形成したもので、構造がシンプルで組立が容易な安全キャップとなるものである。
【０００９】
従って、本考案の目的は、誤飲による事故の際の通気孔を確保した安全キャップを構造が最もシンプルであり、組立も容易で、且つ、廉価で提供するものである。
【００１０】
【考案の実施の形態】
以下、本考案の安全キャップの実施の形態の図面によって具体的に説明する。
【００１１】
図１は本考案の安全キャップの実施の形態の側面図であり、図２は本考案の安全キャップの実施の形態の断面図であり、図３は本考案の安全キャップの実施の形態の平面図であり、図４は本考案の安全キャップの次実施の形態の平面図であり、図５は本考案の安全キャップの他の実施の形態の平面図であり、図６は本考案の安全キャップのその他の実施の形態の平面図である。
【００１２】
本考案は、筆記具の安全キャップに関するものであり、更に詳細には、サインペン、マーカー、ボールペン等のキャップを必要とする筆記具のキャップにおいて、幼児等の誤飲による事故の際に通気孔を確保するための安全キャップに関するものであり、請求項１に記載の安全キャップは、筆記具の安全キャップ１であって、前記筆記具の先端辺を挿通させる天板部２ａを有した筒状のキャップ本体２と、該キャップ本体２の外周に装着するリング状の固定リング３ａと該固定リング３ａから延設させたクリップ部３ｂとから成るクリップ本体３とを備え、前記固定リング３ａの内周及び／又はキャップ本体２の外周に複数の突起部４を形成したものである。
【００１３】
更に、請求項２に記載の安全キャップは、筆記具の安全キャップ１であって、前記筆記具の先端辺を挿通させる天板部２ａを有した筒状のキャップ本体２と、該キャップ本体２の外周に装着するリング状の固定リング３ａと該固定リング３ａから延設させたクリップ部３ｂとから成るクリップ本体３とを備え、前記固定リング３ａの内周及び／又はキャップ本体２の外周に複数の凹溝部５を形成したものである。
【００１４】
即ち、本考案の安全キャップ１のキャップ本体２は、図１及び図２に図示する如く、片方に天板部２ａを有し、他方を開口させた筒状のもので、サインペン、マーカー、ボールペン等のキャップを必要とする筆記具（図示しない）の先端辺を挿通させて嵌着させるもので、合成樹脂等によって形成されているものである。
【００１５】
次いで、クリップ本体３は前記キャップ本体２の外周に装着するためのリング状の固定リング３ａと、材料特性の弾性が付与された前記固定リング３ａから垂直方向に延設させたポケット等の縁辺に取着するためのクリップ部３ｂとから成り、合成樹脂等によって形成されているものである。
【００１６】
次に、固定リング３ａの内周及び／又はキャップ本体２の外周に複数の突起部４を形成したものであり、図３に図示する実施の形態では、クリップ本体３の固定リング３ａの内周に等間隔で複数の突起部４を突設しているもので、固定リング３ａの内側にキャップ本体２を圧入等の手段によって挿通させることによって、突起部４と隣り合う突起部４との間に通気孔を形成するものである。
【００１７】
更には、図４に図示する次実施の形態では、キャップ本体２の外周に放射状に且つ等間隔で複数の突起部４を突設しているものであり、固定リング３ａの内側にキャップ本体２に挿通させると前述の実施の形態と同様に突起部４と隣り合う突起部４との間の空隙部が通気孔と成るものである。
【００１８】
そして、前述のキャップ本体２とクリップ本体３とを備え、固定リング３ａの内周及び／又はキャップ本体２の外周に複数の凹溝部５を形成したものであり、図５に図示する他の実施の形態では、キャップ本体２の外周に放射状に且つ等間隔で複数の凹溝部５を形成しているものであり、固定リング３ａの内側にキャップ本体２に挿通させることにより、複数の凹溝部５が通気孔と成るものである。
【００１９】
更に、図６に図示するその他の実施の形態では、固定リング３ａの内周に等間隔で複数の凹溝部５を刻設しているものであり、該凹溝部５が通気孔と成るものである。
【００２０】
つまり、本考案の安全キャップ１は固定リング３ａの内側にキャップ本体２を挿通させることによって、突起部４又は凹溝部５によって通気孔を確保するものであり、固定リング３ａとキャップ本体２との装着する手段も圧入の他、固定リング３ａの内側とキャップ本体２の外側との何れかに係着用の突起（図示しない）を設け、該突起が嵌入する孔を他側に設けて装着しても、接着等の手段によって装着しても構わないものである。
【００２１】
【考案の効果】
本考案の安全キャップは、前述の構成により、天板部を有した筒状のキャップ本体と、固定リングとクリップ部から成るクリップ本体とから成り、キャップ本体にクリップ本体を装着するもので、その装着部位の固定リングの内周及び／又はキャップ本体の外周に突起部、又は、凹溝部を形成したことによって通気孔を確保したもので、構造がシンプルで組立が容易な安全キャップと成り、実用性の高い考案である。
【図面の簡単な説明】
【図１】図１は本考案の安全キャップの実施の形態の側面図である。
【図２】図２は本考案の安全キャップの実施の形態の断面図である。
【図３】図３は本考案の安全キャップの実施の形態の平面図である。
【図４】図４は本考案の安全キャップの次実施の形態の平面図である。
【図５】図５は本考案の安全キャップの他の実施の形態の平面図である。
【図６】図６は本考案の安全キャップのその他の実施の形態の平面図である。
【符号の説明】
１　　　安全キャップ
２　　　キャップ本体
２ａ　　天板部
３　　　クリップ本体
３ａ　　固定リング
３ｂ　　クリップ部
４　　　突起部
５　　　凹溝部
【図１】
0003097373.tif 000003
【図２】
0003097373.tif 000004
【図３】
0003097373.tif 000005
【図４】
0003097373.tif 000006
【図５】
0003097373.tif 000007
【図６】
0003097373.tif 000008